【手続補正書】
【提出日】平成27年9月4日(2015.9.4)
【手続補正１】
【補正対象書類名】特許請求の範囲
【補正対象項目名】全文
【補正方法】変更
【補正の内容】
【特許請求の範囲】
【請求項１】
通信装置であって、
要求メッセージに応じて他の通信装置との間で通信リンクを確立するリンク確立手段と、
前記リンク確立手段により確立された通信リンクを用いて他の通信装置との間の通信セッションを確立するセッション確立手段と、
第１のプロトコルにしたがって送信された要求メッセージにより確立された通信リンクを用いて前記セッション確立手段が確立した通信セッションが所定数に達した場合は、前記第１のプロトコルにより送信された要求メッセージに関わる通信リンクを制限し、前記第１のプロトコルとは異なる第２のプロトコルにしたがって送信された要求メッセージに関わる通信リンクについて制限を行わない制御手段と、を備えることを特徴とする通信装置。
【請求項２】
前記制御手段は、前記セッション確立手段が前記第１のプロトコルにより送信された要求メッセージによって確立された通信リンクを用いて確立した通信セッションが所定数に達した際に、前記リンク確立手段に前記第１のプロトコルにより送信された要求メッセージによる他の通信リンクの確立拒否を指示し、
前記リンク確立手段は、前記第１のプロトコルにしたがった要求メッセージを受信すると、前記制御手段から確立拒否が指示されていない場合には通信リンクを確立し、確立拒否が指示されている場合にはその通信リンクの確立を拒否することを特徴とする請求項１に記載の通信装置。
【請求項３】
前記制御手段は、前記第１のプロトコルにしたがった要求メッセージにより確立された通信リンクを用いて新たな通信セッションが確立したときに既に前記第１のプロトコルにしたがった要求メッセージにより確立された通信リンクを用いた通信セッションが確立されていた場合に、該新たな通信セッションを解放する解放手段を有することを特徴とする請求項１または２に記載の通信装置。
【請求項４】
前記制御手段は、前記第１のプロトコルにしたがった要求メッセージにより確立された通信リンクを用いて新たな通信セッションが確立したときに既に前記第１のプロトコルにしたがった要求メッセージにより確立された通信リンクを用いた通信セッションが確立されていた場合に、通信セッションが確立されたそれぞれの通信装置の機器情報に基づいていずれか一方の通信セッションを選択して解放する解放手段を有する、ことを特徴とする請求項１または２に記載の通信装置。
【請求項５】
前記解放手段によって解放された通信セッションが使用する通信ポートをクローズするクローズ手段を更に備えることを特徴とする請求項３または４に記載の通信装置。
【請求項６】
通信プロトコルにおいて能動的動作を行なう第１の通信装置と、受動的動作を行なう第２の通信装置を有する通信システムであって、
前記第１の通信装置と前記第２の通信装置との間で要求メッセージに応じて通信リンクを確立するリンク確立手段と、
前記リンク確立手段により確立された通信リンクを用いて前記第１の通信装置と前記第２の通信装置との間の通信セッションを確立するセッション確立手段と、
第１のプロトコルにしたがって送信された要求メッセージにより確立された通信リンクを用いて前記セッション確立手段が確立した通信セッションが所定数に達した場合は、前記第１のプロトコルにより送信された要求メッセージに関わる通信リンクを制限し、前記第１のプロトコルとは異なる第２のプロトコルにしたがって送信された要求メッセージに関わる通信リンクについて制限を行わない制御手段と、を備えることを特徴とする通信システム。
【請求項７】
通信装置の制御方法であって、
リンク確立手段が、要求メッセージに応じて他の通信装置との間で通信リンクを確立する工程と、
セッション確立手段が、前記通信リンクを確立する工程で確立された通信リンクを用いて他の通信装置との間の通信セッションを確立する工程と、
制限手段が、第１のプロトコルにしたがって送信された要求メッセージにより確立された通信リンクを用いて確立された通信セッションが所定数に達した場合は、前記第１のプロトコルにより送信された要求メッセージに関わる通信リンクを制限し、前記第１のプロトコルとは異なる第２のプロトコルにしたがって送信された要求メッセージに関わる通信リンクについて制限を行わない工程と、を有することを特徴とする通信装置の制御方法。
【請求項８】
通信装置であって、
他の通信装置との間で通信リンクを確立するリンク確立手段と、
前記リンク確立手段により確立された通信リンクを用いて前記他の通信装置との間の通信セッションを確立するセッション確立手段と、
前記セッション確立手段が新たな通信セッションを確立した場合に、前記セッション確立手段により確立されている通信セッションの数が所定数を超えたか否かを判定する判定手段と、
前記判定手段により前記通信セッションの数が前記所定数を超えたと判定された場合、前記セッション確立手段により確立されている通信セッションのうちの少なくとも一つを解放する解放手段と、を有することを特徴とする通信装置。
【請求項９】
前記解放手段は、前記新たなセッションの解放処理を行うことを特徴とする請求項８に記載の通信装置。
【請求項１０】
前記解放手段は、前記セッション確立手段により確立された通信セッションから解放する通信セッションを、各通信セッションを要求した通信装置の機器情報に基づいて選択することを特徴とする請求項８に記載の通信装置。
【請求項１１】
前記解放手段は、前記新たな通信セッションを用いたデータ通信を実行する前に、該新たな通信セッションを解放することを特徴とする請求項９に記載の通信装置。
【請求項１２】
通信装置の制御方法であって、
リンク確立手段が、他の通信装置との間で通信リンクを確立する工程と、
セッション確立手段が、前記通信リンクを確立する工程で確立された通信リンクを用いて前記他の通信装置との間の通信セッションを確立する工程と、
判定手段が、前記通信セッションを確立する工程で新たな通信セッションが確立された場合に、前記通信セッションを確立する工程で確立されている通信セッションの数が所定数を超えたか否かを判定する工程と、
解放手段が、前記判定する工程で前記通信セッションの数が前記所定数を超えたと判定された場合、前記通信セッションを確立する工程によって確立されている通信セッションのうちの少なくとも一つを解放する解放工程と、を有することを特徴とする通信装置の制御方法。
【請求項１３】
請求項７または１２に記載の通信装置の制御方法の各工程をコンピュータに実行させるためのプログラム。
【手続補正２】
【補正対象書類名】明細書
【補正対象項目名】００１１
【補正方法】変更
【補正の内容】
【００１１】
上記の目的を達成するための本発明の一態様による通信装置は、
要求メッセージに応じて他の通信装置との間で通信リンクを確立するリンク確立手段と、
前記リンク確立手段により確立された通信リンクを用いて他の通信装置との間の通信セッションを確立するセッション確立手段と、
第１のプロトコルにしたがって送信された要求メッセージにより確立された通信リンクを用いて前記セッション確立手段が確立した通信セッションが所定数に達した場合は、前記第１のプロトコルにより送信された要求メッセージに関わる通信リンクを制限し、前記第１のプロトコルとは異なる第２のプロトコルにしたがって送信された要求メッセージに関わる通信リンクについて制限を行わない制御手段と、を備える。